(57)【特許請求の範囲】
【請求項１】
少なくとも１本の電子ビームを発生する電子銃と、開口の列を持つ色選択電極と、表示スクリーンと、前記色選択電極を横切って前記電子ビームを前記開口の列と直交する走査線偏向方向に偏向させる手段とを有するカラー陰極線管であって、
前記列それぞれの前記開口の数が、690乃至780の範囲であることを特徴とするカラー陰極線管。
【請求項２】
請求項１に記載のカラー陰極線管において、
前記列それぞれの開口の数が、705乃至750の範囲であることを特徴とするカラー陰極線管。
【請求項３】
請求項２に記載のカラー陰極線管において、
前記列それぞれの開口の数が、705乃至730の範囲であることを特徴とするカラー陰極線管。
【請求項４】
請求項２に記載のカラー陰極線管において、
前記列それぞれの開口の数が、730乃至750の範囲であることを特徴とするカラー陰極線管。
【請求項５】
請求項１に記載のカラー陰極線管において、
前記列それぞれの開口の数が、730乃至780の範囲であることを特徴とするカラー陰極線管。
【請求項６】
請求項５に記載のカラー陰極線管において、
前記列それぞれの開口の数が、750乃至780の範囲であることを特徴とするカラー陰極線管。
【発明の詳細な説明】
【０００１】
【産業上の利用分野】
本発明は、少なくとも１本の電子ビームを発生する電子銃と、開口の列を持つ色選択電極と、表示スクリーンと、色選択電極を横断する電子ビームを開口の列と交差する走査線偏向方向に電子ビームを偏向させる手段とを有するカラー陰極線管に関する。
【０００２】
【従来の技術】
上述の表示装置は既知であり、とりわけテレビ受像器において使用される。
【０００３】
上述のような表示装置で発生するであろう擾乱作用は、モアレ作用（Ｍｏｉｒｅ  ｅｆｆｅｃｔ）と呼ばれる。この作用は、映像中に明暗ラインまたは変色ラインを生じる。
【０００４】
動作中、各走査線は、電子ビームにより、走査線偏向方向中の表示スクリーン上に描かれる。表示スクリーン上に描かれるラインの本数（アクティブラインの本数）は、システムに依存する。ＰＡＬ及びＳＥＣＡＭ方式においては、およそ５４０本の  ラインがこの表示スクリーン上に描かれる。（これらシステムにおいて、信号は６２５本の走査線を含み、およそ５０本の走査線は符号化情報に使用され、残り５７５本の走査線のおよそ７％は表示スクリーンを外れて過走査（ｏｖｅｒｓｃａｎ）される、即ち、有効走査線の総数は、およそ５３７本（（６２５−５０）／１．０７；（６２５−５０）＊０．９３）である。）ＮＴＳＣシステムにおいては、およそ４５０本の有効走査線が描かれる（ＮＴＳＣ信号は、５２５本の走査線を有している）。上述の各システムのいわゆるＨＤＴＶアプリケーションに対しては、走査線の本数が２倍で、信号においてそれぞれ１２５０及び１０５０本、有効走査線では１０４０及び９００本である。動作中、カラー撮像管がＰＡＬ，ＳＥＣＡＭまたはＮＴＳＣ方式で使用されるか否かには関わりなく、通常表示またはＨＤＴＶ表示で擾乱モアレ作用を示さないことが望ましい。
【０００５】
【発明の目的及び概要】
本発明は、擾乱モアレ作用を生じることなく、複数の方式で使用できるカラー陰極線管を提供することを目的とする。
【０００６】
上記目的のため、本発明のカラー陰極線管は、列それぞれの開口の数が６９０乃  至７８０個の範囲であることを特徴とする。
【０００７】
これまでの一般の標準的なシステムは、各列が、５００乃至６００個の範囲の開口を持つ。この範囲（およそ５００乃至６００個）において、モアレ作用は特定のアプリケーションまたは方式で除去できたが、それ以外のアプリケーションまたはシステムでは、上記カラー陰極線管は非常に擾乱するモアレ作用を発生てしまう。本発明によるカラー陰極線管は、このような擾乱モアレ作用を発生しない。この長所により、コストの実質的な削減が実現可能である。
【０００８】
６９０〜７７０個の範囲内には、多数の望ましい範囲が存在する。これら範囲は、アプリケーションまたはシステムの特定の組合わせに非常に適している。第１に望ましい範囲は、開口の数が７０５乃至７５０個の範囲、より特定すると７０５乃至７３０個の範囲であると規定される。この範囲は、ＰＡＬ（ＳＥＣＡＭ）方式における標準及びＨＤＴＶ表示の両者に好適である。
【０００９】
第２に望ましい範囲は、開口の数が７３０乃至７５０個の範囲であると規定される。
この範囲は、ＰＡＬ−ＮＴＳＣ方式（二重方式）におけるＨＤＴＶ表示に好適である。
【００１０】
第３に望ましい範囲は、開口の数が７３０乃至７８０個の範囲、より特定すると７５０乃至７８０個の範囲であると規定される。この範囲は、ＮＴＳＣ方式における標準及びＨＤＴＶ表示の両者に好適である。
【００１１】
本発明は、上記カラー陰極線管を有する表示装置にも関する。
【００１２】
本発明はさらに、少なくとも１本の電子ビームを発生する電子銃を持つカラー陰極線管と、開口の列を持つ色選択電極と、表示スクリーンと、色選択電極と交差する電子ビームを、開口の列を横断する走査線偏向方向に偏向させる手段とを有し、結果として擾乱モアレ作用が生じない表示装置の提供することを目的とする。
【００１３】
このため、本発明による表示装置は、動作中、走査線が飛越し走査されかつ、開口の数と開口を走査する走査線の数との比が約４／６または５／６であることを特徴とする。
【００１４】
上述の比は、０．１％の誤差内でいわゆるｓ／ａＶ比に等しい。ここでｓは、フレーム全体の走査ピッチで、ａＶは、マスクピッチである。望ましくは、ＰＡＬまたはＳＥＣＡＭ用の表示装置には、およそ４／６の比が使用され、ＮＴＳＣ用の表示装置には、およそ５／６の比が使用される。ＰＡＬ（ＳＥＣＡＭ）及びＮＴＳＣ用の表示装置は、本発明の範囲内において、ＰＡＬ（ＳＥＣＡＭ）及びＮＴＳＣ信号それぞれの受信に適した表示装置を意味するものと理解されたい。
【００１５】
【実施例】
図１は、一部を透視した陰極線管１の図である。この陰極線管１は、表示窓２と、コーン３と、ネック４とを持つ排気エンベロープを有する。本実施例では、ネックに３本の電子ビーム６，７，８を発生する電子銃５が設けられている。表示窓２の内側には、本実施例では、赤、緑及び青に発光する燐光素子を有する発光表示スクリーン９が設けられている。スクリーン９への各ビームの経路において、ネックとコーンとの接合部に配置された偏向ユニット１０によりスクリーン９と交差するように偏向されかつ、色選択電極、本実施例では開口１２を持つ薄いプレートを有するシャドウマスク１１を通過する。電子ビーム６，７，８は、互いに僅かな角度を持つ開口１２を通過し、各ビームは、１色だけの発光素子と衝突する。図１は同様に、電子銃及び偏向ユニット用の駆動機構１４及び信号１６を受信するための受信手段１５が示されている。
【００１６】
図２は、色選択電極の細部を示す平面図である。この色選択電極２０は、多数の開口列２１を有する。この列は、走査線偏向方向ｘと交差して延在する。連続する列において、開口は、この走査線偏向方向と交差する方向に互違いに配置されている。図には走査線２２も示されている。この走査線は、電子ビームがシャドウマスクに入射する位置を概略的に示している。
【００１７】
ヨーロッパ、アジア、アフリカ、そして南米の一部で使用されるいわゆるＰＡＬ及びＳＥＣＡＭシステムの場合、シャドウマスクに入射し、シャドウマスクの開口を通過した後に表示スクリーンに衝突する走査線の数は、標準の表示装置では約５４０本で、ＨＤＴＶの表示装置では２倍である。ＮＴＳＣシステムの有効ラインの数は、標準の表示装置では約５４０本で、ＨＤＴＶの表示装置では約９００本である。図２には、走査線ピッチｓが示されている。これは、走査線間の距離である。同図には、開口間の距離（マスクピッチ）ａｖも示されている。
【００１８】
走査線パターンと色選択電極の開口パターンとの干渉がモアレ作用を生じさせる。モアレ作用は水平方向（この場合、水平バーが表示画像中に見えてくる）、及び傾斜角度（傾斜バーが画像中に現れる）に起こる。これらの組合わせは、例えば、菱形パターン（ｄｉａｍｏｎｄ  ｐａｔｔｅｒｎ）が現れることも可能である。システム（ＰＡＬ−ＳＥＣＡＭ；  ＮＴＳＣ）及び表示種別（標準またはＨＤＴＶ）のそれぞれにおいて、異なるモアレ作用が発生する。表１は、試験者によって全体が擾乱として認識されるようなモアレ作用の程度を示す。
【００１９】
【表１】
0003577574.tif 000002
【００２０】
表の縦方向は、１列あたりの開口の数（Ｎ）を示し、横方向は、システム（ＰＡＬ；  ＰＡＬ−ＨＤＴＶ；  ＮＴＳＣ；  ＮＴＳＣ−ＨＤＴＶ）を示す。この表は、ＰＡＬとＳＥＣＡＭとを区別していない。なぜならば、これらシステムでは、同数の走査線が使用されるためである。記号は、以下のような意味を持っている。
＋＋＝非常に良好
＋  ＝良好
０  ＝略々良好
【００２１】
表１は、Ｎが約６９０と７８０個の範囲にある場合、システム及び表示種別の各々に対し良好な表示が得られることを示している。即ち、多数の開口を持つ色選択電極を有するカラー陰極線管を各システムで使用できる。ＰＡＬシステムにおいては、７０５乃至７５０個の範囲、より明確には７０５乃至７３０個の範囲が特に適している。ＰＡＬ−ＮＴＳＣ二重化構成には、７３０乃至７５０個の範囲が特に適していて、ＮＴＳＣの構成には、７３０乃至７８０個の範囲、より明確には７５０乃至７８０個の範囲が適している。
【００２２】
本発明は、擾乱モアレ作用が発生すること無く、種々の存在するシステム及びアプリケーションで使用可能なカラー陰極線管を提供可能にする。このカラー陰極線管の長所によると、コストの実質的抑制が実現可能で、表示装置の種々の形式において、同一のカラー陰極線管を使用できる。カラー陰極線管の異なる形式で、同様の色選択電極の使用が同様に可能である。本発明は同様に、ＨＤＴＶアプリケーションに使用される場合（二重走査周波数）に、擾乱モアレパターンを招かない陰極線管を提供する。
【００２３】
従来の標準アプリケーション用のカラー陰極線管は、約５００乃至６００個の範囲の色選択電極と開口とを有している。このようなカラー陰極線管において、この管及び異なるシステム及び構成で同一の管を使用すると、必然的に擾乱モアレパターンを招く。さらに、ＰＡＬ−ＨＤＴＶシステムにおいては、６９０＜Ｎ＜７５０（望ましくは７０５＜Ｎ＜７３０）の範囲及びＮＴＳＣ−ＨＤＴＶシステムにおいては、７３０＜Ｎ＜７８０（望ましくは、７５０＜Ｎ＜７８０）範囲で、実質的に擾乱モアレパターンを発生しないことが分かっている。始めに、上記ＨＤＴＶシステムが、半分の開口、即ちＰＡＬ用に３４５＜Ｎ＜３７５個、ＮＴＳＣ用に３６５＜Ｎ＜３８５個の開口を持つ標準ＰＡＬ又はＮＴＳＣと同様のモアレ作用を示すことが予想されるので、これは注目に値する。しかしながらこれはそうではない。前述の開口数を持つ標準ＰＡＬシステム及びＮＴＳＣシステムは、可視のモアレ作用を明らかに示してしまう。
【００２４】
表１は、本発明の１つの態様を示し、この態様は一本の列中の開口数と関連がある。
【００２５】
開口の数と効果的に走査された走査線の数との比（ｓ／ａｖ）に関する本発明の第２の態様を以下に説明する。
【００２６】
以下の表２は、異なる範囲、列毎の開口の数そして相違するシステムに対する走査線数と列毎の開口数との比を示す。この比は、０．１％の誤差内で、（走査ピッチｓとも呼ばれる）走査線間の距離と、（マスクピッチａｖとも呼ばれる）列の開口間の距離との比に等しい。この比ｓ／ａｖは、列毎の開口の数及び走査線の数から計算することができる。Ｎ０が開口の数で、Ｎｓが有効走査線の数の場合、比ｓ／ａｖは、（Ｎ０−１）／（Ｎｓ−１）で定められる。Ｎ０及びＮｓの両方が非常に大きいので、比ｓ／ａｖは、略々Ｎ０／Ｎｓに等しくなる。僅かなモアレ作用を例外的に示す幾つかの実施例は、傾斜文字で記載されている。比ｓ／ａｖは、モアレ作用の発生にとって重要なパラメータである。
【００２７】
【表２】
0003577574.tif 000003
【００２８】
本発明の第２の態様の実施例は、飛越し走査において、（一つのフィールドにおいて開口の数を走査線の数で割った値に対応する）比ｓ／ａｖが、約４／６または５／６であることを特徴とする。
【００２９】
飛越し走査システムにおいて、２つのフィールドが走査される。第１のフィールドは、全走査線の半分の本数で、連続する走査線間の距離が、走査ピッチの２倍であり、続いて第２のフィールドは、全走査線の半分の本数で、２つの連続する走査線間の距離が走査ピッチの２倍であり、第２のフィールドの走査線は、第１のフィールドの走査線間に延在している。理論及び実験の両者から、このようなシステムにおいて、モアレ作用が実質的に削減され、そして指示値が最小となることがわかった。ＰＡＬ（ＳＥＣＡＭ）システムにおいて、前記比は、望ましくは４／６であり、ＳＴＮＣシステムにおいては、前記比は、望ましくは５／６である（表２の第３行３列（ＰＡＬ−ＳＥＣＡＭ−ＨＤＴＶ）及び第５行５列（ＮＴＳＣ−ＨＤＴＶ）を参照）。上記テーブルにおいて、これらの範囲は、傾斜文字で記載されている（７％過走査（ｏｖｅｒｓｃａｎ））。“略々”とは、この接続において、比ｓ／ａｖと理想的な比との差が当該理想的な比（４／６または５／６）の略々２％よりも小さいことを意味するものと理解されたい。
【００３０】
フレームは、いわゆる順次走査方式、即ちフレーム全体の全ての走査線が連続して走査される方式によって走査可能である。このようなシステムにおいて、比ｓ／ａｖは、望ましくは４／３又は５／３に略々等しい。順次走査の場合、各フレームの全ての走査線が走査される。
【００３１】
以上の表２には、それぞれ重ならないＰＡＬ及びＮＴＳＣシステムの比ｓ／ａｖが傾斜文字で示される。即ち、与えられた条件下で、理想的なＰＡＬシステムの開口の数は、理想的なＮＴＳＣシステムの開口の数と一致しない。
【００３２】
以下の表３に、このような重なりの可能性を示す。
【００３３】
【表３】
0003577574.tif 000004
【００３４】
表３において、望ましい範囲が傾斜文字で記載されている。表２と表３との違いは、表２においては、各システムに対する過走査が７％であるのに対し、表３においては、ＰＡＬ（ＳＥＣＡＭ）システムとＮＴＳＣシステムとが区別されている。ＰＡＬシステムにおいては、過走査が４％であり、一方、ＮＴＳＣシステムにおいては、過走査は１０％である。過走査の変化は、走査ピットｓ、故に比ｓ／ａｖの変化を生じさせる。受信されるべき信号に依存する過走査を作り出すことにより、ＰＡＬ（ＳＥＣＡＭ）信号及びＮＴＳＣ信号の両方に対し実質的に改善されたモアレ作用を示すシステムを設計可能にする。これの最適な範囲は、或る程度変化することが明らかだろう。ＮＴＳＣの８％（または１２％）の過走査と組合わせるＰＡＬシステムの２％（または６％）の過走査は、理想的な数の開口を約７３７乃至７５１または７２３個に変化させる。理想的な数の開口は、過走査の差も変化する場合、さらにわずかに変更することができる。例えば、５％の過走査の差が使用される場合、７％（ＰＡＬ）及び１２％（ＮＴＳＣ）の組合わせが使用することができる。この時の開口の理想的な数は、７１７個になる。
【００３５】
以上の表３は、本発明の第３の態様を示す。本発明のこの様態は、入力信号により支配される比の扱いと組合わされる比ｓ／ａｖに関する。
【００３６】
本発明の第３の態様による実施例は、少なくとも１本の電子ビームを発生する電子銃を持つカラー陰極線管と、開口列を持つカラー選択電極と、表示スクリーンと、電子ビームを開口列と交差する走査線偏向方法において色選択電極を横切るように変更させる手段と、さらに画像信号を受信する手段と入力信号に基づく機能として過走査を制御する手段とを有する表示装置に関する。
【００３７】
上記表３に示したように、以上の構成は、異なる数の走査線を持つ２つのシステムに対しモアレ作用の低減を達成することが可能となる。現在利用される２つのシステムは、ＰＡＬ及びＮＴＳＣである。望ましくは、各列毎の開口の数が、７１０乃至７６０個の範囲である。この範囲において、現在利用される２つのシステムに対しモアレ作用を最大限削減することが可能である。望ましくは過走査の差は、５乃至７％である。
【００３８】
このため、受信手段１５（図１）が、入力信号の関数として過走査に影響する手段を有する。これが走査ピッチ、故に比ｓ／ａｖの適合となる。
【００３９】
上述の発明の範囲において、多くの変形例が当業者に実現可能であることは明らかである。
【００４０】
本実施例において、電子銃が同時に３つの電子ビームを発生し、電子ビームのそれぞれは、赤、緑または青の画像を発生させる。このことは、限定的にするものではなく、電子銃が、異なるカラー画像を連続的に発生する単一電子ビームを代わりに発生してもよい。この実施例において、各列は、等しい数の開口を持つ。しかしながら、開口の数に関し示された範囲の僅かな変更が、例えば表示される画像の縁を改善するために起こっても良い。更に、縁の周辺において、色選択電極が特許請求の範囲に記載の開口数よりも少ない開口数を有する少数の列（５よりも少ない）を有しても良い。
【図面の簡単な説明】
【図１】カラー陰極線管を示す図である。
【図２】色選択電極の概略を示す図である。
【符号の説明】
１  陰極線管
２  表示窓
３  コーン
４  ネック
５  電子銃
６，７，８  電子ビーム
９  スクリーン
１０  偏向ユニット
１１  シャドウマスク
１２  開口
１３  保持部材
１４  駆動機構
１５  受信手段
【図１】
0003577574.tif 000005
【図２】
0003577574.tif 000006